(57)【特許請求の範囲】
【請求項１】
被験者の器官内の複数の部位での物理的パラメータの値を測定するために用いられる信号を与えるように構成されたプローブと、
操作制御部と、
ディスプレイと、
プロセッサと、を備える機器であって、
前記プロセッサは、
前記値の領域を識別するために前記測定値を解析するように構成されており、前記値の前記領域は測定されなかった１つ又は２つ以上の紛失パラメータからなる少なくとも１つの小領域を含み、前記小領域は、前記値の前記領域の内側に存在しており、
ユーザーから前記操作制御部を介して前記小領域の値の選択を受け取るように構成されており、かつ、
前記選択に応答して、更なる測定の候補部位を前記ディスプレイを介して表示するように構成されており、
前記測定値を解析することは、測定された値の第１の視覚的表現と、前記少なくとも１つの小領域の、前記第１の視覚的表現とは異なる第２の視覚的表現とを、前記ユーザーに向けて前記ディスプレイを介して表示することを含む、機器。
【請求項２】
前記器官は心臓を含む、請求項１に記載の機器。
【請求項３】
前記物理的パラメータは、前記心臓によって及ぼされた力と前記心臓の温度のいずれかに応答して評価される、請求項２に記載の機器。
【請求項４】
前記物理的パラメータは、前記心臓の電気活動に応答して評価される、請求項２に記載の機器。
【請求項５】
前記物理的パラメータは、前記心臓内の前記複数の部位の各局所的活性化時間（ＬＡＴ）を含む、請求項４に記載の機器。
【請求項６】
前記信号は時変電位を含み、前記値を測定することは、前記複数の部位の各信号を記録することを含み、前記測定値を解析することは、前記記録した信号に所定の条件を適用することに応答して前記各ＬＡＴを決定することを含む、請求項５に記載の機器。
【請求項７】
前記候補部位を表示することは、前記ユーザーに向けて前記心臓の画像を前記ディスプレイ上に表示することと、前記画像上に前記候補部位を指示することとを含む、請求項２に記載の機器。
【請求項８】
前記ユーザーから前記選択を受け取ることは、前記ユーザーが前記操作制御部を操作して前記第２の視覚的表現内の領域を選択することを含む、請求項１に記載の機器。
【請求項９】
前記第１の視覚的表現及び前記第２の視覚的表現は、数直線として形成される、請求項１に記載の機器。
【発明の詳細な説明】
【技術分野】
【０００１】
本発明は、広義には被験者の器官内での物理的パラメータの測定に関し、具体的にはその測定を容易にするためのグラフィックユーザーインターフェイスに関する。
【背景技術】
【０００２】
心臓の電気活動のマッピングなどの医療手技において、通常、可能な限り迅速に手技を実施することが好ましい。しかしながら、可能な限り短時間で手技を完了するための要件は、結果の収集における非効率性にもつながり得る。したがって、この非効率性を低減するためのシステムが有利となる。
【発明の概要】
【課題を解決するための手段】
【０００３】
本発明のある実施形態は、ある方法を提供するものであり、その方法は、
被験者の器官内の複数の部位で物理的パラメータの値を測定することと、
その値の領域であって、測定されなかった１つ又は２つ以上の値を含む少なくとも１つの小領域を含む、領域を識別するためにその測定値を解析することと、
ユーザーから小領域の値の選択を受け取ることと、
その選択に応答して、更なる測定の候補部位を表示することと、を含む。
【０００４】
通常、器官には心臓が含まれる。物理的パラメータは、心臓によって及ぼされた力と心臓の温度のいずれかに応答して評価されてもよい。それに代わって、物理的パラメータは、心臓の電気活動に応答して評価されてもよい。
【０００５】
開示する実施形態において、物理的パラメータは、心臓内の複数の部位の各局所的活性化時間（ＬＡＴ）を含む。通常、その値を測定することは、複数の部位の各時変電位を記録することを含み、測定値を解析することは、記録した時変電位に所定の条件を適用することに応答して各ＬＡＴを決定することを含む。
【０００６】
それに代わる実施形態において、候補部位を表示することは、ユーザーに向けて心臓の画像を表示することと、画像上に候補部位を指示することとを含む。
【０００７】
それに代わる更なる実施形態において、測定値を解析することは、測定された値の第１の視覚的表現と、少なくとも１つの小領域の、第１の視覚的表現とは異なる第２の視覚的表現とを、ユーザーに向けて表示することを含む。通常、ユーザーから選択を受け取ることは、ユーザーがポインティング装置を操作して第２の視覚的表現内の領域を選択することを含む。第１及び第２の視覚的表現は、数直線として形成されてもよい。
【０００８】
本発明の実施形態によれば、ある機器が更に提供され、その機器は、
被験者の器官内の複数の部位で物理的パラメータの値を測定するために用いられる信号を与えるように構成されたプローブと、
プロセッサとを備え、そのプロセッサは、
それらの値の領域であって、測定されなかった１つ又は２つ以上の値を含む少なくとも１つの小領域を含む、領域を識別するために測定値を解析し、
ユーザーから小領域の値の選択を受け取り、
その選択に応答して、更なる測定の候補部位を表示するように構成されている。
【０００９】
本開示は、添付の図面と共になされる、本発明の実施形態の以下の詳細な説明によって、更に十分に理解されよう。
【図面の簡単な説明】
【００１０】
【図１】本発明の実施形態による生理学的マッピングシステムの概略図。
【図２】本発明の実施形態による、心臓のマッピングの間に作成されたディスプレイの概略図。
【図３】本発明の実施形態による、図１のシステムによって生成された信号の概略的グラフを示している。
【図４】本発明の実施形態による、局所的活性化時間（ＬＡＴ）の概略的表現。
【図５Ａ】本発明の実施形態による、ディスプレイ上の表現を示す概略図。
【図５Ｂ】本発明の実施形態による、ディスプレイ上の表現を示す概略図。
【図６】本発明の実施形態による、図１のマッピングシステムにおいて追従される工程の流れ図。
【発明を実施するための形態】
【００１１】
概要
本発明の実施形態は、被験者の器官内の複数の部位における物理的パラメータの値の測定を改善するための方法を提供する。通常、物理的パラメータは、電極などの電気的センサ、力センサなどの機械的センサ、又は温度センサを使用して、器官の複数の部位の各々で測定され得る任意のパラメータであってよい。各部位で測定され得るパラメータの例には、限定するものではないが、インピーダンス、局所的活性化時間（ＬＡＴ）、収縮力、温度、及び作用する力が挙げられる。器官は、被験者の体内のいかなる器官であってもよいが、簡潔にするため、別段の指定がない限り、以下の説明において器官は被験者の心臓であると想定される。
【００１２】
この方法のユーザーは通常、パラメータを評価するために用いられる心臓の測定値の組を複数の部位で記録する。プロセッサが各測定値を解析して、その測定値が記録された部位に対するパラメータを評価する。プロセッサは、パラメータの値を測定値から導出できるようになっていてもよく、それに代わって、測定によってパラメータの値が生成されなくてもよい。
【００１３】
すべての測定値が解析された後、その結果は、パラメータの数直線上に、ユーザーに向けて表示されてもよい。数直線は通常、２種類の数を表示するものであり、第１の種類は、パラメータが評価されており、第２の種類は、パラメータが評価されていないものである。これらの２種類は、視覚的に区別される方式で表示される。例えば、パラメータが評価されている第１の種類は、第１の色で示されてよく、パラメータが評価されていない第２の種類は、第２の色で示されてよい。
【００１４】
ユーザーは、第２の色の領域上に（すなわち、評価済みのパラメータがない数の上に）カーソルを配置することができる。この位置から、プロセッサは、通常は心臓の３次元画像上のある部位を示すが、その部位をプロセッサはパラメータの再測定の候補部位であると見なす。プロセッサは、測定値の組において記録が行われているが、パラメータの値が評価されることができなかった部位から候補部位を選択する。
【００１５】
ユーザーは、指示された部位で再測定してプロセッサ用の信号を生成することができ、プロセッサはその新たな信号を解析して、指示された部位に対するパラメータを決定する。通常、数直線は、ここで既知となったパラメータの値を反映するように更新され、ユーザーは、数直線が第１の色のみを示し、心臓のすべてのサンプル部位に対してパラメータが測定されたことが示されるまで、上述のプロセスを繰り返すことができる。
【００１６】
システムの説明
ここで図１を参照するが、図１は、本発明の実施形態による生理学的マッピングシステム２０の概略図である。システム２０は、被験者２６の器官の特性パラメータをマッピングするために、プローブ２４の遠位端部３２上のセンサ２２を使用している。一実施形態において、センサ２２は電極を備える。それに代わってあるいはそれに加えて、センサ２２は、力センサ又は温度センサなど、物理的測定値を感知するように構成された別の種類のセンサを備える。
【００１７】
本明細書の説明において、マッピングされている器官は、一例として、別段の指定がない限り、被験者の心臓３４であると想定されている。通常、プローブ２４はカテーテルを備え、そのカテーテルは、システム２０のユーザー２８によって実施されるマッピング手技の間に被験者２６の体の中に挿入される。本明細書の説明において、ユーザー２８は、一例として、医療専門家であると想定される。手技の間、被験者２６は接地電極２３に接続されると想定される。加えて、電極２９が、心臓３４の領域にて被験者２６の皮膚に取り付けられると想定される。
【００１８】
システム２０は、システムプロセッサ４０によって制御されてもよく、システムプロセッサ４０は、メモリ４４と通信する処理装置４２を備えている。プロセッサ４０は通常、制御卓４６内に搭載されており、制御卓４６は、通常はマウス又はトラックボールなどのポインティング装置３９を有する操作制御部３８を備え、専門家２８はこの操作制御部３８を使用してプロセッサと相互作用する。プロセッサは、メモリ４４内に記憶された、プローブ追跡モジュール３０と感知モジュール３６とを有するソフトウェアを使用して、システム２０を操作する。感知モジュールはセンサ２２に従って構成されている。例えば、センサ２２が力センサーを含む場合、モジュール３６はそのセンサにかかる力の値を生成する。センサ２２が電極を備える場合、モジュール３６は、その電極によって感知された信号から、局所的活性化時間又はインピーダンスなどの電気パラメータの値を生成する。
【００１９】
プロセッサ４０によって実施される操作の結果が、専門化に向けてディスプレイ４８上に提示され、ディスプレイ４８は通常、操作者向けのグラフィックユーザーインターフェイス、及び／又は、マッピングされている間の心臓３４の画像を提示する。そのソフトウェアは、例えば、ネットワークを介して電子形式でプロセッサ４０にダウンロードされてもよく、あるいは、それに代わってあるいはそれに加えて、磁気的、光学的、又は電子的メモリなどの非一時的な有形のメディア上に提供及び／又は記憶されてもよい。
【００２０】
プローブ追跡モジュール３０は、プローブが被験者２６の体内にある間にプローブ２４の各区間を追跡する。追跡モジュールは通常、被験者２６の心臓内における、プローブ２４の遠位端部３２の位置と向きの両方を追跡する。いくつかの実施形態において、モジュール３０はプローブの他の区間を追跡する。追跡モジュールは、当該技術分野で知られている、プローブを追跡するための任意の方法を用いてよい。例えば、磁場発信器からの磁場が、追跡されているプローブの各区間内に配置された追跡コイルと相互作用するように、モジュール３０は、被験者の付近で磁場発信器を操作してもよい。磁場と相互作用するコイルは、モジュールに伝送される信号を生成し、モジュールはその信号を解析して、コイルの位置及び向きを決定する。（簡潔にするため、そのようなコイル及び発信器は図１には示されていない。）カリフォルニア州ダイアモンド・バー（Diamond Bar）のバイオセンス・ウェブスター社（Biosense Webster）によって生産されているＣａｒｔｏ（登録商標）システムは、そのような追跡方法を用いるものである。それに代わってあるいはそれに加えて、追跡モジュール３０は、電極２３と、電極２９と、センサー２２（センサーが電極を備える場合）との間のインピーダンス、並びに、プローブ上に配置され得る他の電極に対するインピーダンスを測定することによって、プローブ２４を追跡してもよい。バイオセンス・ウェブスター社（Biosense Webster）によって生産されているＣａｒｔｏ３（登録商標）システムは、磁場発信器とインピーダンス測定値の両方を追跡のために用いている。
【００２１】
システム２０の動作中に、プロセッサ４０は、追跡モジュールによって決定された位置の各対の組５０と、プロセッサによって実施された解析の結果を、メモリ４４内に格納する。例えば、センサ２２は電極を備えてもよく、感知モジュール３６及びプロセッサ４０は、心臓のデータ採取位置にて局所的活性化時間（ＬＡＴ）の値を生成するように構成されてもよい。この場合、組５０は、図１に示すように、位置とＬＡＴとの各対を含んでいる。４つの対５２、５４、５６、及び５８が図１に示されている。一例として図１に表で示す組については、以下で更に詳細に説明することにする。
【００２２】
図２は、本発明の実施形態による、心臓３４のマッピングの間に作成されたディスプレイ４８の概略図である。心臓３４をマッピングするために、本明細書では心臓の３次元（３Ｄ）特性を表示する画像であると想定される心臓の画像６０が、専門家２８に向けてディスプレイ４８上に提示される。この画像は、追跡モジュール３０を使用して心臓の房の表面の３Ｄ座標をマッピングすることなど、当該技術分野で知られている任意の方法で生成されてよい。Ｃａｒｔｏ（登録商標）システム又はＣａｒｔｏ３（登録商標）システムが、そのような３Ｄ座標マッピングに使用されてよい。それに代わってあるいはそれに加えて、磁気共鳴画像法（ＭＲＩ）などの任意の他の方法が画像６０を生成するために用いられてよい。
【００２３】
画像６０を使用して、専門家は心臓内の種々の表面上にセンサ２２を位置させる。専門家は、プローブの近位端部を操作することによって、センサ（プローブの遠位端部３２上に位置する）を位置させる。センサ２２の配置はモジュール３０によって追跡され、その配置は、画像６０の上に重なるカーソル６２として専門家２８に提示される。
【００２４】
本発明のいくつかの実施形態において、上述した３Ｄ画像６０の生成、及び上述した心臓３４の生理学的マッピングは、１つの手技の間に実質的に同時に実施される。本明細書の説明においては、簡潔にするため、心臓の３Ｄ画像の生成及び心臓の生理学的マッピングは、２つの別の手技で順次的に実施されると想定される。当業者であれば、必要に応じて、実質的に同時の手技に、この説明を適合させることが可能となろう。
【００２５】
図３は、本発明の実施形態による、システム２０によって生成された信号の概略的グラフを示している。簡潔にするため、以下の説明においては、特に断りのない限り、センサ２２は電極を備えると想定されてよい。加えて、モジュール３６は、電極からの電気信号を感知するように構成されたＥＣＧモジュールを備えると想定されてもよく、また、プロセッサ４０は、その信号からＬＡＴを物理的パラメータとして生成するために、感知した信号を解析するように構成されてもよい。
【００２６】
図３のグラフは、心臓３４が拍動するときに生じる電気活動を示しており、電位図とも呼ばれるものである。システム２０のマッピングはこの場合は（上述した３Ｄ座標マッピングとは異なるものとして）電気生理学的マッピングを含むものであるが、このマッピングを実施するために、電極２２は心臓３４内の多数の部位と接触しなければならない。それぞれの接触の間、プロセッサ４０は、各部位の電気活動、すなわち、電位と電位の発生時間の各対の組を記録する。電極２２は、その部位から得られる十分なデータを記録できる時間にわたって、各部位と接触するべきである。心臓の電気活動は反復的であるので、１回の心拍が完結する期間に等しいかそれよりも長い期間で十分となり得る。したがって、１分間あたり７０回で拍動する「通常の」健康な心臓の場合、十分な期間は通常、約８５０ｍｓか又はそれ以上となり得る。しかしながら、以下で説明するように、必要となる期間は、心拍の期間よりも短くなることも、あるいはそれよりも長くなることもある。
【００２７】
電位図１００は、電極２２が心臓３４の表面上の第１の部位と接触しているときに電極２２上の第１の信号から導出された、概略的な電位対時間のグラフである。電位図１０２は、電極が心臓の表面上の第２の部位と接触しているときに電極上の第２の信号から導出された、概略的な電位対時間のグラフである。心臓３４の表面上の種々の部位に対する電位対時間の関係の組は、電位図１００及び１０２で示すものと類似したものであり、心臓の電気活動を含んでおり、そのような組がプロセッサ４０によって記録される。
【００２８】
電位図１０４は、皮膚電極２９のうちの１つにおける信号の、概略的なＥＣＧ電位対時間のグラフであり、信号の典型的なＱＲＳ群を示している。電位図１００及び１０２で示す電位−時間の関係の組を十分に特徴付けるために、電位−時間の関係は、互いに時間内に参照される必要がある。本発明の実施形態において、この時間参照は、基準信号上にある事例（本明細書では基準事例と呼ばれる）を時間内に測定することによって達成される。本明細書では、一例として、基準信号は、ＥＣＧ電位対時間の信号を含むと想定される。同様に一例として、基準事例は、ＥＣＧ信号のＱＲＳ群の開始、ＴＲであると想定される。マッピングされている心臓内の任意の所与の部位に対し、その部位の電気活動のＬＡＴは、所定の条件を満たす電気活動によって定義されてよい。以下の説明において、所定の条件は、その部位における電位図の最大の急速な振れの発生時間を含むと想定され、また、ＬＡＴは、基準事例ＴＲから、その部位の電位図の最大の急速な振れが次に発現するまでの時間であると想定される。ＬＡＴは正であっても負であってもよい。電位図の最大の急速な振れの発生時間を決定するための方法、並びにＬＡＴを決定するための他の定義及び条件は、当業者にはよく知られているものであり、そのようなすべての方法、定義、及び条件は、本発明の範囲内に含まれると想定される。
【００２９】
電位図１００において、最大の急速な振れは（ＴＲ後）、時間Ｔ１に生じており、ここで電位は急速に上昇し始めている。第１の部位の信号に対する局所的活性化時間、すなわち本明細書でＬＡＴ１と称される期間は、ＴＲからＴ１までの時間である。電位図１０２において、最大の急速な振れは時間Ｔ２に生じており、ここで電位は急速に低下し始めている。第２の部位の信号に対する局所的活性化時間は、本明細書でＬＡＴ２と称されるものであり、ＴＲからＴ２までの時間である。
【００３０】
図４は、本発明の実施形態による、ＬＡＴの概略的表現１５０である。電気生理学的にマッピングされている心臓内の各部位は、特徴的なＬＡＴを有する。通常、ＬＡＴは、約−２００ｍｓ〜約＋１００ｍｓの範囲内にあるが、他の範囲も考えられる。加えて、特定の心臓に対するＬＡＴは連続領域を形成し、そのため、取り得るＬＡＴ値の範囲内に通常、ギャップは存在しない。しかしながら、心臓の電気活動の初期の記録において、記録された時変電位には、ＬＡＴの評価に十分なデータをプロセッサ４０に与えないものもあり、そのため、ＬＡＴの値が測定されていないＬＡＴの小領域が存在する。
【００３１】
表現１５０は、ＬＡＴの数直線である。ＬＡＴは時間の単位で測定されるので、表現１５０は時間直線である。時間直線は、ＬＡＴが測定された時間１５２の組と、評価が行われていない時間１５４の組とを含むＬＡＴの領域を示す。表現１５０がディスプレイ４８上に提示され、組１５２及び１５４は、典型的には異なる色をそれら２つの組に割り当てることによって、視覚的に区別される。時間１５４は、ここでは紛失時間１５４とも呼ばれるものであり、ＬＡＴの全領域のうちの、ＬＡＴが評価されていない小領域を含む。
【００３２】
図５Ａ及び５Ｂは、本発明の実施形態による、ディスプレイ４８上の表現１５０に似た表現を示す概略図である。図６は、本発明の実施形態による、図５Ａ及び５Ｂの表現を用いてマッピングシステム２０において追従される工程の流れ図２００である。簡潔にするため、図５Ａ及び５Ｂは、マッピングされている物理的パラメータがＬＡＴであり、そのため、表現１５０が時間直線として表示されることを想定したものとなっている。
【００３３】
流れ図の最初の工程２０２において、専門家２８が、実質的に図２に関連して上述した通りに、心臓の表面上にセンサ２２を位置させることによって、心臓３４の初期マッピングを実施する。したがって、専門家２８は、心臓画像６０上のカーソル６２を使用しながらプローブ２４の遠位端部を操作して、遠位端部及びそれに取り付けられたセンサ２２を心臓の所望の表面と接触させて位置させる。各部位において、プロセッサ４０は、部位の座標を記録し、また物理的パラメータの測定値を記録する。
【００３４】
パラメータがＬＡＴである事例において、測定値は時変電位であり、その時変電位は電位−時間の値の組を含む。最初の工程の間、プロセッサ４０はまた、ＬＡＴの基準事例を決定するために使用される基準信号を記録する。図３に関連して上述したように、基準信号はＥＣＧ信号であると想定され、基準事例はＱＲＳ群の開始であると想定される。
【００３５】
解析工程２０４において、プロセッサ４０は、各部位ごとに、対応する測定値の組を解析して、その組に対する物理的パラメータの値を見出そうとする。
【００３６】
ＬＡＴの場合、測定値は電位−時間の値である。この場合、各組ごとに、ＬＡＴはプロセッサによって測定可能であってもよく、あるいはＬＡＴは測定可能でなくてもよい。
【００３７】
観測可能なＬＡＴを有する組において、プロセッサは、後に発現する、信号の最大の急速な振れに対して、少なくとも１つの基準時間及び少なくとも１つの時間を決定することが可能であった。通常、そのような時間の対は複数存在し、その場合、プロセッサはＬＡＴの平均値を生成してもよい。通常、必須ではないが、所与の部位に対し、観測可能なＬＡＴを得るために、この例では電極であるセンサ２２が、その部位と接触し、それによって、少なくとも１回の拍動の完結に相当する期間にわたって、その部位で生成された電気信号を感知する。
【００３８】
ＬＡＴは、電極２２が所与の部位に十分な時間にわたって接触していないこと、電極からの信号にノイズがあること、及び／又は基準信号にノイズがあることなど、多数の理由により、測定可能でないこともある。
【００３９】
また、各組（測定可能なＬＡＴを有する組又は測定可能なＬＡＴを有さない組）ごとに、その組が記録された部位の座標の対応する組が存在する。プロセッサは、各対の組５０（図１）として解析結果を格納する。図１に示す組５０の例で分かるように、対５２及び５６、すなわち部位（ｘａ，ｙａ，ｚａ）及び（ｘｃ，ｙｃ，ｚｃ）に対しては、プロセッサはＬＡＴの各値を測定しており、対５４及び５８、すなわち部位（ｘｂ，ｙｂ，ｚｂ）及び（ｘｄ，ｙｄ，ｚｄ）に対しては、プロセッサはＬＡＴの値を測定できなかった。
【００４０】
直線生成工程２０６において、プロセッサ４０は、組５０の値を数直線１５０として表示する（図４）。数直線は、プロセッサがパラメータを測定できた、物理的パラメータの組の値１５２を示している。数直線はまた、プロセッサが身体的パラメータの値を測定できなかった、紛失パラメータの組に対応する直線上の小領域１５４を示している。
【００４１】
したがって、ＬＡＴ測定の場合、表示される時間直線は、プロセッサがＬＡＴを測定できた、時間１５２の組の値を示す。表示される時間直線はまた、プロセッサがＬＡＴを測定できなかった、紛失時間１５４の組に対応する、時間直線上の小領域を示す。時間１５２の各組は連続的であり、未測定又は紛失時間１５４に対応する領域の各組もまた連続的である。
【００４２】
選択工程２０８において、プロセッサ４０は、ディスプレイ４８上に心臓の画像６０及び数直線１５０を提示する。操作者２８は、ポインティング装置３９を使用して、各紛失パラメータ１５４のうちの１つの紛失パラメータ１５４の中の選択された部分２３２にカーソル２３０を位置させる（図５Ａ）。各対５０の組から、プロセッサ４０は、選択された部分２３２に対応する対、すなわちプロセッサが紛失パラメータを測定できなかった対を選択する。選択された対は、既知の部位を有するが、未知のパラメータ値を有し、プロセッサは、画像６０上の既知の部位をマーカー２３４でマーキングし、そのマーカーは、その既知の部位が操作者による更なる測定の候補であることを示す。
【００４３】
反復工程２１０において、操作者は、通常はカーソル６２をマーカー２３４の上に重ねることによって、マーカー２３４で指示される部位に遠位端部３２を再び位置させる。遠位端部が再び位置されると、プロセッサ４０は、センサ２２を使用して物理的パラメータの測定値の組を再び記録する。
【００４４】
再解析工程２１２において、プロセッサ４０は、再び記録された測定値を解析し、第１の条件２１４において、プロセッサは、物理的パラメータの値が解析から導出されたか否かを確認する。
【００４５】
パラメータ値が導出された場合、更新工程２１６において、数直線１５０が更新される。組５０もまた更新される。通常、マーカーで指示される部位に対してはパラメータ値が発見されているので、カーソル６２が残存し得る間、マーカー２３４は画像６０から除去される。図５Ｂは、この場合の更新された時間直線を示しており、領域２３２はここでは値１５２に含まれている。
【００４６】
条件２１４において、プロセッサが、再び記録された測定値からパラメータ値を導出できなかった場合、操作者が測定値の記録を反復するように、流れ図は工程２１０に戻る。通常、工程２１０が反復されているという視覚的及び／又は聴覚的な指示が操作者に与えられる。
【００４７】
第２の条件２１８は、紛失値が小領域１５４に残っているか否かを確認するものである。紛失値がある場合、流れ図は工程２０８に戻り、紛失値が数直線１５０上にない場合、流れ図は完了する。
【００４８】
上記の説明は、ＬＡＴのマッピングを含んでいる。しかしながら、記載の方法は、被験者の心臓又は他の器官の他の物理的パラメータの値を決定するために、不当な実験を伴うことなく、当業者によって適合され得ることが理解されよう。例えば、心臓の場合、他の物理的パラメータは、心臓壁の温度又は収縮力を含んでもよく、これらはそれぞれ、センサ２２の代わりに温度センサ又は力センサを使用するものである。マッピングされ得る他の器官には、膀胱又は胃を挙げることができる。
【００４９】
上述した実施形態は一例として記載されたものであり、本発明は、本明細書において上に具体的に図示及び説明した内容に限定されないことが明らかとなろう。むしろ、本発明の範囲には、上で説明した様々な特徴の組み合わせと部分的組み合わせの両方、並びにそれらの変形形態及び修正形態が含まれ、これらは、上述の説明を読めば当業者には思いつくものであり、また先行技術では開示されていないものである。
【００５０】
〔実施の態様〕
（１）  被験者の器官内の複数の部位で物理的パラメータの値を測定することと、
前記値の領域であって、測定されなかった１つ又は２つ以上の値を含む少なくとも１つの小領域を含む、領域を識別するために前記測定値を解析することと、
ユーザーから前記小領域の値の選択を受け取ることと、
前記選択に応答して、更なる測定の候補部位を表示することと、を含む方法。
（２）  前記器官は心臓を含む、実施態様１に記載の方法。
（３）  前記物理的パラメータは、前記心臓によって及ぼされた力と前記心臓の温度のいずれかに応答して評価される、実施態様２に記載の方法。
（４）  前記物理的パラメータは、前記心臓の電気活動に応答して評価される、実施態様２に記載の方法。
（５）  前記物理的パラメータは、前記心臓内の前記複数の部位の各局所的活性化時間（ＬＡＴ）を含む、実施態様４に記載の方法。
（６）  前記値を測定することは、前記複数の部位の各時変電位を記録することを含み、前記測定値を解析することは、前記記録した時変電位に所定の条件を適用することに応答して前記各ＬＡＴを決定することを含む、実施態様５に記載の方法。
（７）  前記候補部位を表示することは、前記ユーザーに向けて前記心臓の画像を表示することと、前記画像上に前記候補部位を指示することとを含む、実施態様２に記載の方法。
（８）  前記測定値を解析することは、測定された値の第１の視覚的表現と、前記少なくとも１つの小領域の、前記第１の視覚的表現とは異なる第２の視覚的表現とを、前記ユーザーに向けて表示することを含む、実施態様１に記載の方法。
（９）  前記ユーザーから前記選択を受け取ることは、前記ユーザーがポインティング装置を操作して前記第２の視覚的表現内の領域を選択することを含む、実施態様８に記載の方法。
（１０）  前記第１の視覚的表現及び前記第２の視覚的表現は、数直線として形成される、実施態様８に記載の方法。
【００５１】
（１１）  被験者の器官内の複数の部位で物理的パラメータの値を測定するために用いられる信号を与えるように構成されたプローブと、
プロセッサと、を備える機器であって、前記プロセッサは、
前記値の領域であって、測定されなかった１つ又は２つ以上の値を含む少なくとも１つの小領域を含む、領域を識別するために前記測定値を解析し、
ユーザーから前記小領域の値の選択を受け取り、
前記選択に応答して、更なる測定の候補部位を表示するように構成されている、機器。
（１２）  前記器官は心臓を含む、実施態様１１に記載の機器。
（１３）  前記物理的パラメータは、前記心臓によって及ぼされた力と前記心臓の温度のいずれかに応答して評価される、実施態様１２に記載の機器。
（１４）  前記物理的パラメータは、前記心臓の電気活動に応答して評価される、実施態様１２に記載の機器。
（１５）  前記物理的パラメータは、前記心臓内の前記複数の部位の各局所的活性化時間（ＬＡＴ）を含む、実施態様１４に記載の機器。
（１６）  前記信号は時変電位を含み、前記値を測定することは、前記複数の部位の各信号を記録することを含み、前記測定値を解析することは、前記記録した信号に所定の条件を適用することに応答して前記各ＬＡＴを決定することを含む、実施態様１５に記載の機器。
（１７）  前記候補部位を表示することは、前記ユーザーに向けて前記心臓の画像を表示することと、前記画像上に前記候補部位を指示することとを含む、実施態様１２に記載の機器。
（１８）  前記測定値を解析することは、測定された値の第１の視覚的表現と、前記少なくとも１つの小領域の、前記第１の視覚的表現とは異なる第２の視覚的表現とを、前記ユーザーに向けて表示することを含む、実施態様１１に記載の機器。
（１９）  前記ユーザーから前記選択を受け取ることは、前記ユーザーがポインティング装置を操作して前記第２の視覚的表現内の領域を選択することを含む、実施態様１８に記載の機器。
（２０）  前記第１の視覚的表現及び前記第２の視覚的表現は、数直線として形成される、実施態様１８に記載の機器。
【図１】
0006013106.tif 000002
【図２】
0006013106.tif 000003
【図３】
0006013106.tif 000004
【図４】
0006013106.tif 000005
【図５Ａ】
0006013106.tif 000006
【図５Ｂ】
0006013106.tif 000007
【図６】
0006013106.tif 000008